(57)【要約】【課題】割り込みーモードを有する複合装置などで割り込みを目的として割り込みキーを操作した場合で、通常モードのジョブが実行中と停止中では割り込みＬＥＤが異なる表示をするために、違和感があったり、割り込みキーの操作ミスと勘違いすることがあった。【解決手段】通常ジョブモードにおいては、ジョブ実行中でも停止中でも割り込み目的で割り込みキーが操作された場合であればかならず点滅表示するなどして、この割り込みキーがエントリーされたことを確実にユーザーに知らせる制御を用いる。【選択図】    図３
2004297379.tif 000002
【特許請求の範囲】
【請求項１】
通常のジョブを行う通常モードと、前記通常モードに割り込んで割り込みモードに設定するための割り込みキーと、割り込みモードの状態に応じて、消灯、点滅、点灯を行う割り込みＬＥＤと、前記割り込みキーが操作されたことを検知する割り込みキー検知手段と、前記通常モードにおいて前記割り込みキー検知手段が割り込みキーが操作されたことを検知したときに数回割り込みＬＥＤを点滅させる割り込みＬＥＤ点滅手段と、前記割り込みＬＥＤが点滅しているときに通常モードのジョブが実行されているときは前記割り込みＬＥＤの点滅を維持する割り込みＬＥＤ点滅状態維持手段と、前記割り込みＬＥＤが点滅しているときに通常モードのジョブが実行されておらず、かつ通常モードのジョブ設定を待避できたときは前記割り込みＬＥＤを点滅から点灯に切り替える割り込みＬＥＤ点灯手段とを有することを特徴とする画像形成装置。
【請求項２】
通常のジョブを行う通常モードと、前記通常モードに割り込んで割り込みモードに設定するための割り込みキーと、割り込みモードの状態に応じて、消灯、第１の表示色での点灯、第２の表示色での点灯を行う割り込みＬＥＤと、前記割り込みキーが操作されたことを検知する割り込みキー検知手段と、前記通常モードにおいて前記割り込みキー検知手段が割り込みキーが操作されたことを検知したときに数秒間割り込みＬＥＤを第１の表示色で点灯させる第１の表示色割り込みＬＥＤ点灯手段と、前記割り込みＬＥＤが第１の表示色での点灯しているときに通常モードのジョブが実行されているときは前記割り込みＬＥＤが第１の表示色での点灯を維持する第１の表示色割り込みＬＥＤ点灯状態維持手段と、前記割り込みＬＥＤが第１の表示色で点灯しているときに通常モードのジョブが実行されておらず、かつ通常モードのジョブ設定を待避できたときは前記割り込みＬＥＤを第１の表示色での点灯から第２の表示色での点灯に切り替える第２の表示色割り込みＬＥＤ点灯手段と、を有することを特徴とする画像形成装置。
【請求項３】
通常のジョブを行う通常モードと、前記通常モードに割り込んで割り込みモードに設定するための割り込みキーと、割り込みモードの状態に応じて、消灯、第１の表示、第２の表示を行う割り込みＬＥＤと、前記割り込みキーが操作されたことを検知する割り込みキー検知手段と、前記通常モードにおいて前記割り込みキー検知手段が割り込みキーが操作されたことを検知したときに数秒間割り込みＬＥＤが第１の表示を行う第１の表示割り込みＬＥＤ制御手段と、前記割り込みＬＥＤが第１の表示を行っているときに通常モードのジョブが実行されているときは前記割り込みＬＥＤが第１の表示を維持する第１の表示割り込みＬＥＤ状態維持手段と、前記割り込みＬＥＤが第１の表示をしているときに通常モードのジョブが実行されておらず、かつ通常モードのジョブ設定を待避できたときは前記割り込みＬＥＤを第１の表示から第２の表示に切り替える第２の表示割り込みＬＥＤ制御手段と、を有することを特徴とする画像形成装置。
【請求項４】
前記第１の表示は第１の表示色での点滅または点灯であり、前記第２の表示は第２の表示色で点灯を行うことを特徴とする請求項３に記載の画像形成装置。
【請求項５】
前記割り込みキー検知手段は、割り込みＬＥＤが点滅中または第１の表示色で点灯中または第１の表示を行っているときには、割り込みキーが操作されたことを検知しない、または無視することを特徴とする請求項１〜４に記載の画像形成装置。
【請求項６】
前記割り込みモードにおけるジョブ設定は大型ＬＣＤを用いて設定されることを特徴とする請求項１〜５に記載の画像形成装置。
【発明の詳細な説明】
【０００１】
【発明の属する技術分野】
本発明は、コピー機能を有するデジタル複写機、ファクシミリ、複合装置などの画像形成装置について、特に通常モードに割り込んで割り込みジョブを行う割り込みモードを有する画像形成装置に関する。
【０００２】
【従来の技術】
複写機などの画像形成装置では、他のユーザーが連続複写中に他に緊急に複写をする必要がある場合がある。この場合緊急複写用の割り込みを可能とする割り込みモードを有するものがある。割り込みモードを持つ複写機においては、割り込みキーを押すことで割り込みモードに入ることができる。
【０００３】
このような割り込みモードを有する複写機では、たとえば特開平５−１２７４４６号公報に記載されているように、通常のジョブ実行中に割り込みキーを操作すると割り込みＬＥＤが点滅し、続いて割り込まれた通常のジョブが終了し、かつ割り込まれた通常ジョブの設定条件やコピー済み枚数などが待避保存されると割り込みＬＥＤが点灯に切り替わっていた。また複写機が安定待機状態において割り込みキーを操作すると、割り込まれる前の設定条件などが待避保存されると割り込みＬＥＤが点灯に切り替わっていた。
【０００４】
【発明が解決しようとする課題】
上記従来技術ではいくつかの問題点がある。まず第１の問題点としては、割り込み機能というものは、その性質上通常ジョブが連続複写中に割り込みを行うのが大半であり複写動作が停止しているときに割り込みコピーを行うことは希である。つまり通常コピー中に割り込みキーを操作して、割り込みＬＥＤが点滅するのを確認し、この点滅が点灯に切り替わるのを確認してから割り込みジョブの設定を行うのがもっとも多い操作である。言い換えれば割り込みキーがエントリーされたことを確認するのは、この割り込みキーが点滅することにより行うことができた。しかし、自動原稿送り装置にセットできない原稿を手置きコピーで１枚づつ作業を行っているときに割り込みモードを行いたい場合などを想定して、ジョブ停止中にも割り込みモードに入ることができる。このときに割り込みキーを操作したときに、突然割り込みＬＥＤが消灯から点灯に切り替わるのでユーザーによっては違和感を感じることがある。第２の問題点としては、ジョブ停止中に割り込んだ場合であっても割り込み前の設定状態などの保存が生じるので、わずかながらであるが割り込みジョブの設定が可能となるまでのタイムラグが発生する。特に近年の大型ＬＣＤをユーザーインタフェースに採用した画像形成装置では画面の状態を保存する必要やＬＣＤデバイスの表示切り替えの遅れなどもあり複写機がジョブ停止中といえども割り込みキーを操作してから０秒で割り込みジョブの設定が可能とはならなくなっている。この場合上記特開平５−１２７４４６号公報に記載された発明では、割り込みキーを操作してもすぐに割り込みＬＥＤが点灯しないのでユーザーにとっては割り込みキーの操作ミスをしたものと勘違いしてしまうという問題があった。本願発明はいかなる状態であっても割り込み目的で割り込みキーが操作された場合であれば、この割り込みキーがエントリーされたことを確実にユーザーに知らせることを目的とする。
【０００５】
【課題を解決するための手段】
上記目的を達成するために、本願第１の発明は、通常のジョブを行う通常モードと、前記通常モードに割り込んで割り込みモードに設定するための割り込みキーと、割り込みモードの状態に応じて、消灯、点滅、点灯を行う割り込みＬＥＤと、前記割り込みキーが操作されたことを検知する割り込みキー検知手段と、前記通常モードにおいて前記割り込みキー検知手段が割り込みキーが操作されたことを検知したときに数回割り込みＬＥＤを点滅させる割り込みＬＥＤ点滅手段と、前記割り込みＬＥＤが点滅しているときに通常モードのジョブが実行されているときは前記割り込みＬＥＤの点滅を維持する割り込みＬＥＤ点滅状態維持手段と、前記割り込みＬＥＤが点滅しているときに通常モードのジョブが実行されておらず、かつ通常モードのジョブ設定を待避できたときは前記割り込みＬＥＤを点滅から点灯に切り替える割り込みＬＥＤ点灯手段と、を有することを特徴とする画像形成装置を用いる。
【０００６】
本願第２の発明では、通常のジョブを行う通常モードと、前記通常モードに割り込んで割り込みモードに設定するための割り込みキーと、割り込みモードの状態に応じて、消灯、第１の表示色での点灯、第２の表示色での点灯を行う割り込みＬＥＤと、前記割り込みキーが操作されたことを検知する割り込みキー検知手段と、前記通常モードにおいて前記割り込みキー検知手段が割り込みキーが操作されたことを検知したときに数秒間割り込みＬＥＤを第１の表示色で点灯させる第１の表示色割り込みＬＥＤ点灯手段と、前記割り込みＬＥＤが第１の表示色での点灯しているときに通常モードのジョブが実行されているときは前記割り込みＬＥＤが第１の表示色での点灯を維持する第１の表示色割り込みＬＥＤ点灯状態維持手段と、前記割り込みＬＥＤが第１の表示色で点灯しているときに通常モードのジョブが実行されておらず、かつ通常モードのジョブ設定を待避できたときは前記割り込みＬＥＤを第１の表示色での点灯から第２の表示色での点灯に切り替える第２の表示色割り込みＬＥＤ点灯手段と、を有することを特徴とする画像形成装置を用いる。
【０００７】
本願第３の発明では、通常のジョブを行う通常モードと、前記通常モードに割り込んで割り込みモードに設定するための割り込みキーと、割り込みモードの状態に応じて、消灯、第１の表示、第２の表示を行う割り込みＬＥＤと、前記割り込みキーが操作されたことを検知する割り込みキー検知手段と、前記通常モードにおいて前記割り込みキー検知手段が割り込みキーが操作されたことを検知したときに数秒間割り込みＬＥＤが第１の表示を行う第１の表示割り込みＬＥＤ制御手段と、前記割り込みＬＥＤが第１の表示を行っているときに通常モードのジョブが実行されているときは前記割り込みＬＥＤが第１の表示を維持する第１の表示割り込みＬＥＤ状態維持手段と、前記割り込みＬＥＤが第１の表示をしているときに通常モードのジョブが実行されておらず、かつ通常モードのジョブ設定を待避できたときは前記割り込みＬＥＤを第１の表示から第２の表示に切り替える第２の表示割り込みＬＥＤ制御手段と、を有することを特徴とする画像形成装置を用いる。
【０００８】
本願第４の発明では前記第１の表示は第１の表示色での点滅または点灯であり、前記第２の表示は第２の表示色で点灯を行うことを特徴とする第３の発明に記載の画像形成装置を用いる。
【０００９】
本願第５の発明では前記割り込みキー検知手段は、割り込みＬＥＤが点滅中または第１の表示色で点灯中または第１の表示を行っているときには、割り込みキーが操作されたことを検知しない、または無視することを特徴とする第１〜４の発明に記載の画像形成装置を用いる。
【００１０】
前記割り込みモードにおけるジョブ設定は大型ＬＣＤを用いて設定されることを特徴とする第１〜５の発明に記載の画像形成装置を用いる。
【００１１】
【作用】
本願第１〜３の発明は、画像形成装置が通常のジョブ実行中であっても、停止中であっても、割り込み目的で割り込みキーが操作された場合であれば、所定の表示で割り込みキーがエントリーされたことをユーザーに知らせるので、違和感もなく、かつ割り込みキーのエントリーミスと勘違いすることもない。たとえば第１の発明では割り込み目的で割り込みキーを操作するとすぐに割り込みＬＥＤ点滅したあとに点灯する。
【００１２】
本願第４の発明は、第１の表示では赤色ＬＥＤで点滅し、第２の表示は緑色のＬＥＤを点灯するなどすれば、より状態が識別しやすくなる。
【００１３】
本願第５の発明は、割り込みＬＥＤが点滅中や第１の表示色で点灯中、または第１の表示を行っているときには、割り込みキーの入力を無効にしているので、あやまった２度押しなどに対応できる。
【００１４】
本願第６の発明は、特に大きなＬＣＤをユーザーインターフェースに用いていることにより、停止中であっても割り込み設定が可能となるまでタイムラグのあるものでは、より効果がみられる。
【００１５】
【実施例】
本願発明を採用する複合装置を図１の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作パネル１０、スキャナ用Ｉ／Ｆ１１、スキャナ部１２、ＤＦ１３、バッファーメモリ１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００１６】
詳しくは、前記ＣＰＵ２は当該画像形成装置１の各構成を制御しており、各種プログラムを記憶した前記ＲＯＭ３、ユーザーチョイスデータ、設定情報、トータルカウントデータ、各種フォントデータなどを記憶した前記ＲＡＭ４に接続されている。通常モードで設定された設定条件や割り込みモードで設定された設定条件などは、このＲＡＭ４の各領域に保持される。特に通常モードで設定された設定条件を記憶する領域を第１の記憶領域４１、割り込みモードのときにこの通常モードの設定条件や、コピーした枚数などを待避して保持する記憶領域を第２の記憶領域４２とする。
【００１７】
メール作成手段５は、スキャナ部１２で読み取られた画像データを、予め登録した相手先へメールに添付して送信するときのメールを作成する手段である。
【００１８】
前記プリンタコントローラ６は、接続されたパソコンから送信され、バッファメモリ１４の受信領域に格納されているプリントコマンドやジョブ情報を解析し、中間言語情報を生成するものである。この中間言語情報はバッファメモリ１４の中間言語情報記憶領域に格納される。
【００１９】
前記プリンタ部７は、ビットマップメモリ１５に展開されている画像データを順次このプリンタ部７の作像部のＬＳＵ又はＬＰＨなどの潜像を書き込む装置に送り、この作像部でトナー像を形成し、これを給紙カセットから順次給紙、搬送される用紙に転写し、定着、排紙される。
【００２０】
前記後処理装置用Ｉ／Ｆ８と前記後処理装置９は、複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００２１】
前記操作パネル１０は、図２に示すように複数の操作キー、本願第６の発明にあるように大型のＬＣＤデバイスであるＬＣＤ表示部１０１などから構成されている。この画像形成装置は複合装置なので操作表示部はコピー機能画面、プリンタ機能画面、ファクシミリ機能画面、スキャナ機能画面を操作パネル１０の左にある選択キーにより切り替え可能である。本願第１の発明で用いられる割り込みキー１０２は、割り込みキーと割り込みＬＥＤを兼ね備えたキーであり、必要に応じて割り込みキー１０２に内蔵されたＬＥＤが点滅、点灯をする。また本願第２、３の発明で用いられるものは発色の異なる２つのＬＥＤが内蔵されている。
【００２２】
スキャナＩ／Ｆ１１は、この複合装置１の上に置かれたスキャナ部１２とケーブルを介して接続し、このスキャナ部１２とＤＦ１３を制御するためのインターフェースである。
【００２３】
前記スキャナ部１２は、ＤＦ１３で１枚づつフィードされる、又は１枚をコンタクトガラス上に置いた原稿にハロゲンランプで光を当てその反射光をＣＣＤセンサで読み取り、このアナログ信号をＡ／Ｄ変換でデジタル信号に変換し画像処理部で画像処理をして後段のビットマップメモリ１５に展開していく。このビットマップメモリ１５は、前記スキャナ部１２からの画像データの他ネットワークなどを介して接続されたパソコンから転送されてくるプリントコマンドを前記プリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００２４】
前記バッファメモリ１４は、上述した受信画像領域や中間言語領域の他、通常メモリコピーやファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
【００２５】
前記モデム１７は、公衆回線１９から送信されてくるアナログ信号をデジタル信号に変換し、また逆にデジタル信号をアナログ信号に変換して公衆回線で送信するためのものである。前記ＮＣＵ１８は、公衆回線への接続、ファクシミリと電話の切り替え、回線へのオンフック信号の送出、リング検出などを行う。
【００２６】
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。
【００２７】
バス２１は、上述した各構成のデータや信号のやり取りを行うバスである。それぞれ画像データ用のバスや制御信号用のバスがあるが、ここでは略して１つで表している。
【００２８】
本願第１の発明である、通常モードにおいて割り込みキーが操作されたときの処理フローを図３を用いて説明する。まず割り込みキーが操作されたか否かを判断し（Ｓ１０１）、操作されていなければリターン、操作された場合は割り込みＬＥＤの点滅信号が割り込みＬＥＤの制御部に送出されて、割り込みＬＥＤの点滅が開始する（Ｓ１０２）。続いて現在コピー中か否かを判断し（Ｓ１０３）、コピー中でなければＳ１０６に進み、コピー中であれば、すでに給紙された用紙に対してはコピーを行い排出処理をする（Ｓ１０４）。このとき割り込みＬＥＤの点滅は継続する。続いて上記排出処理が終了したかを判断し（Ｓ１０５）、終了すればＳ１０６に進む。Ｓ１０６では割り込みモードが解除されたあとに再び通常ジョブが再開できるように、割り込まれた通常ジョブで設定されているジョブ条件やジョブがどこで中断されたかなどの情報を待避させる。ここでＲＡＭ４の第１の記憶領域４１にあるデータを第２の記憶領域４２に移動させる。続いてＬＣＤ表示部１０１の表示を割り込みジョブを設定する画面に切り替える（Ｓ１０８）。続いて割り込みＬＥＤの制御部に対して割り込みＬＥＤの点灯信号が送出される。ここで、コピー中の割り込みでこのステップまできた場合は割り込みＬＥＤがすでに複数回以上点滅しているので、すぐに点滅から点灯に切り替わる。コピーが停止中に割り込みがあった場合は、割り込みキーが操作されてからこのステップに至るまでに、コンマ数秒から１秒程度しか経過していないので、すぐに割り込みＬＥＤを点灯させずに点滅を維持する。
【００２９】
本願第５の発明では、上記Ｓ１０１で割り込みキーが操作された後は、割り込みＬＥＤが点灯するまで割り込みＬＥＤが操作されても無視するか、受け付けない処理である。
【００３０】
上記処理フローについて、通常モードのジョブ実行中に割り込みキーを操作した場合のタイミングチャートを図４の（Ａ）に、通常モードのジョブ停止中に割り込みキーを操作した場合のタイミングチャートを図４の（Ｂ）に示す。図４の（Ａ）では、まず割り込みＬＥＤが消灯中で通常モードのジョブが実行中に割り込みキーが操作されると、排紙処理と通常モードの設定などが退避処理が完了するまで割り込みＬＥＤは点滅し、そのあと点灯する。つまり通常モードのジョブが実行中に割り込みキーが操作された場合の処理は従来技術とみかけは同じである。図４の（Ｂ）では、割り込みＬＥＤが消灯中で通常モードのジョブが停止中に割り込みキーが操作されると、割り込みＬＥＤが所定回数（または所定時間）点滅する。この点滅をしている最中に通常モードの設定などが退避処理が完了しているので、そのあと割り込みＬＥＤは点灯する。このように割り込みＬＥＤが消灯中で通常モードのジョブが停止中に割り込みキーが操作されると、従来技術と異なり割り込みＬＥＤが少なくとも数回点滅してから点灯する。
【００３１】
本願第１の発明では、上記割り込みＬＥＤの表示を点滅、点灯により異ならせているが、本願第２の発明では、割り込みＬＥＤの表示色を異ならせることによりユーザーが識別することができるようにする。この場合は割り込みキーに内蔵されたＬＥＤを第１の表示ＬＥＤ（例えば赤色）と第２の表示ＬＥＤ（例えば緑色）の２つを設け、割り込まれる前は第１、２の表示ＬＥＤは両方消灯し、割り込みキーが押された直後は第１の表示ＬＥＤを点灯させて、第２の表示ＬＥＤは消灯しておき、割り込みモードの設定が可能となったときには第１の表示ＬＥＤを消灯し、第２の表示ＬＥＤを点灯させる処理を行えば良い。このようにすれば、図５に示すように、上述した第１の発明の割り込みＬＥＤの点滅と第２の発明の割り込みＬＥＤの赤色表示が対応し、第２の発明の割り込みＬＥＤの点灯と、第２の発明の割り込みＬＥＤの緑色表示が対応することになる。
【００３２】
本願第３、４の発明では割り込みＬＥＤの表示色と点滅の有無を異ならせることによりユーザーが識別することができるようにする。この場合は割り込みキーに内蔵されたＬＥＤを第１の表示ＬＥＤ（例えば赤色）と第２の表示ＬＥＤ（例えば緑色）の２つを設け、割り込まれる前は第１、２の表示ＬＥＤは両方消灯し、割り込みキーが押された直後は第１の表示ＬＥＤを点滅させて、第２の表示ＬＥＤは消灯しておき、割り込みモードの設定が可能となったときには第１の表示ＬＥＤを消灯し、第２の表示ＬＥＤを点灯させる処理を行えば良い。このようにすれば、図６に示すように、上述した第１の発明の割り込みＬＥＤの点滅と第２の発明の割り込みＬＥＤの赤色表示が対応し、第２の発明の割り込みＬＥＤの点灯と、第２の発明の割り込みＬＥＤの緑色表示が対応することになる。また、点滅の間隔まどを異ならせるなど、ユーザーが識別できる程度の違いがあればどのようなものでも良い。
【００３３】
【発明の効果】
本願第１〜３の発明を用いれば、画像形成装置が通常のジョブ実行中であっても、停止中であっても、割り込み目的で割り込みキーが操作された場合であれば、所定の表示で割り込みキーがエントリーされたことをユーザーに知らせるので、違和感もなく、かつ割り込みキーのエントリーミスと勘違いすることもない。たとえば第１の発明では割り込み目的で割り込みキーを操作するとすぐに割り込みＬＥＤ点滅したあとに点灯する。
【００３４】
本願第４の発明を用いれば、第１の表示では赤色ＬＥＤで点滅し、第２の表示は緑色のＬＥＤを点灯するなどすれば、より状態が識別しやすくなる。
【００３５】
本願第５の発明を用いれば、割り込みＬＥＤが点滅中や第１の表示色で点灯中、または第１の表示を行っているときには、割り込みキーの入力を無効にしているので、あやまった２度押しなどに対応できる。
【００３６】
本願第６の発明は、特に大きなＬＣＤをユーザーインターフェースに用いていることにより、停止中であっても割り込み設定が可能となるまでタイムラグのあるものでは、より効果がみられる。
【図面の簡単な説明】
【図１】本願発明を採用する複合装置及び周辺機器のブロック図である。
【図２】本願発明を採用する複合装置の操作パネルである。
【図３】本願第１の発明を採用する複合装置で割り込みキーが操作された場合の処理フローである。
【図４】本願第１の発明を採用する複合装置で、割り込みキーを操作したときのタイミングチャートである。
【図５】本願第２の発明を採用する複合装置で、割り込みキーを操作したときのタイミングチャートである。
【図６】本願第３の発明を採用する複合装置で、割り込みキーを操作したときのタイミングチャートである。
【符号の説明】
１；複合装置
２；ＣＰＵ
３；ＲＯＭ
４；ＲＡＭ
５；メール作成手段
６；プリンタコントローラ
７；プリンタ部
８；後処理装置用Ｉ／Ｆ
９；後処理装置
１０；操作パネル
１１；スキャナ用インターフェース
１２；スキャナ部
１３；自動原稿送り装置（ＤＦ）
１４；バッファーメモリ
１５；ビットマップメモリ
１６；ＣＯＤＥＣ
１７；モデム
１８；ＮＣＵ
１９；公衆回線
２０；ネットワークＩ／Ｆ
２１；バス
２２；ネットワークケーブル
２３；プリンタ
２４、２５；ＰＣ
２６；相手方ファクシミリ
【図１】
2004297379.tif 000003
【図２】
2004297379.tif 000004
【図３】
2004297379.tif 000005
【図４】
2004297379.tif 000006
【図５】
2004297379.tif 000007
【図６】
2004297379.tif 000008